(57)【要約】【課題】記録再生装置に接続される出力機器の表示特性に応じて録画コンテンツを変換して出力する際、録画コンテンツのジャンルに応じて出力画像を変換し、好適な画像を出力できるようにする。【解決手段】チューナ２１またはネットワーク接続部２３を介して取得したコンテンツを記憶媒体に記録し、又は記憶媒体から読み出す録画再生制御部２５と、記憶媒体に記録されたコンテンツのジャンルを判別するジャンル判別部２５ａと、記憶媒体から読み出したコンテンツの画像を変換して前記映像音声出力部２７を介して出力機器３０に出力する出力変換部２５ｃと、を備え、記憶媒体に記録された特定のコンテンツを再生する際、ジャンル判別部２５ｂは当該コンテンツのジャンルを判別し、出力変換部２５ｃは、コンテンツのジャンルに応じて、予め設定された補正量に基づいてコンテンツの画像を変換して出力する。【選択図】図２
2012070289.tif 000002
【特許請求の範囲】
【請求項１】
外部から取得したコンテンツを出力する映像音声出力部と、
放送されるコンテンツを受信して出力するチューナと、
コンテンツを記録する記憶媒体と、
ネットワークを介してコンテンツを取得するネットワーク接続部と、
前記チューナまたはネットワーク接続部を介して取得したコンテンツを前記記憶媒体に記録し、又は前記記憶媒体から読み出す録画再生制御部と、
前記記憶媒体に記録されたコンテンツのジャンルを判別するジャンル判別部と、
前記記憶媒体から読み出したコンテンツの画像を変換して前記映像音声出力部を介して出力機器に出力する出力変換部と、を備え、
前記記憶媒体に記録された特定のコンテンツを再生する際、前記ジャンル判別部は当該コンテンツのジャンルを判別し、前記出力変換部は、前記コンテンツのジャンルに応じて、予め設定された補正量に基づいて前記コンテンツの画像を変換して出力することを特徴とする記録再生装置。
【請求項２】
前記補正量は、少なくともシネマモードとダイナミックモードとスタンダードモードのそれぞれに応じて設定されており、前記コンテンツのジャンルに応じて前記何れかのモードの補正量が適用されることを特徴とする請求項１に記載の記録再生装置。
【請求項３】
前記出力機器はＨＤＭＩケーブルにより前記記録再生装置に接続され、前記記録再生装置はＨＤＭＩケーブルを介して前記出力機器の出力特性情報を取得してメモリ部に記憶し、前記出力変換部は、記憶媒体に記録された特定のコンテンツを再生し、前記出力機器に当該コンテンツを出力する際、前記出力変換部は、前記メモリ部から前記出力機器の出力機器特性情報を取得し、前記記憶媒体から読み出したコンテンツの画像を該出力機器特性に応じて変換して出力することを特徴とする請求項１または２に記載の記録再生装置。
【請求項４】
前記コンテンツのジャンルと前記シネマモードとダイナミックモードとスタンダードモードの対応はユーザが任意に設定可能にしたことを特徴とする請求項２に記載の記録再生装置。
【発明の詳細な説明】
【技術分野】
【０００１】
本発明は、ｉＶＤＲ（ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）と称する国際規格に準拠して規格化されたカートリッジタイプのハードディスなどを記憶媒体とする記録再生装置に関するするものであり、特に、録画したコンテンツの再生において、記録再生装置に接続される出力機器の表示特性に応じて録画コンテンツを変換して出力する際、録画コンテンツのジャンルに応じて出力を最適化するようにした記録再生装置に関するものである。
【背景技術】
【０００２】
映像や音声からなるコンテンツを記録し再生させる装置としては、従来から広く普及しているＶＴＲに加えて近年ではＤＶＤ（Ｄｉｇｉｔａｌ  Ｖｅｒｓａｔｉｌｅ  Ｄｉｓｋ）やハードディスク（Ｈａｒｄ  Ｄｉｓｋ  Ｄｒｉｖｅ）を記憶媒体とするものも普及し始めている。現在、ＤＶＤは数ギガバイト、ハードディスクは数１００ギガバイトといった大記憶容量を有したものが普及しており、ＭＰＥＧ２方式等による高能率符号化技術を用いることによって、数時間から数１０時間に渡りコンテンツの記録を容易に可能としている。
【０００３】
また、最近ではこの種の記録再生装置においては、テレビ受像機のような放送受信装置を介して番組（コンテンツ）を記録（録画）し、記録した番組（録画コンテンツ）を当該放送受信装置に出力するだけでなく、インターネット接続機能を備え、ネットワークを介してコンテンツを取得して記録（録画）し、記録再生装置に接続された放送受信機に出力することができるものも提供されている。
【０００４】
ところで、記録再生装置とそれに接続される放送受信機などの出力機器は、ユーザの事情、嗜好によって多様な組み合わせになる。記録再生装置と同一メーカーの出力機器が記録再生装置に接続されることもあれば、記録再生装置と異なるメーカーの出力機器が記録再生装置に接続されることもある。出力機器における出力画像の画質（輝度、彩度、コントラスト）は当該出力機器の出力特性によって定まるものであるから、同一メーカーの機器同志を接続する場合には大きな問題にはならないが、異なるメーカーの機器を接続した場合には、必ずしも出力機器に表示される画像が最適な状態で出力される保証はない。
【０００５】
従って、記録再生装置と出力機器との接続の組み合わせに起因する種々の設定操作を簡素化することが望ましい。このような配慮をした録画再生システムは、例えば、下記の特許文献１（特開２００８−４８３３７号公報）に開示されている。この録画再生システムは、再生機能を有する複数の機器と、機器からの映像や音声を再生する表示装置とを、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠したＨＤＭＩケーブルを介して接続した録画再生システムであって、機器は、初期設定（音声言語設定、字幕言語設定、および、メニュー言語設定の少なくとも一つ）で設定した言語情報を表示装置に送信し、再生するときには、表示装置に記憶された言語情報を取得して言語設定を行い、表示装置は、機器から送られてきた言語情報を記憶し、機器から再生要求があったときには、記憶している言語情報を該機器へ送信するように構成されたものである。
【０００６】
また、下記の特許文献２（特開２００５−１０９７０３号公報）には、表示装置をＤＶＤ再生装置等の画像出力装置に接続する度に、表示装置における画像情報の表示条件の設定を的確に行えるようにした画像出力装置の発明が開示されている。この画像出力装置（ＤＶＤ再生装置）は、出力機器があるＨＤＭＩモニタからＨＤＭＩモニタの表示条件を示す情報である条件情報を予め取得し、ＨＤＭＩモニタに出力する画像情報を取得した条件情報に基づいて変換する情報変換部を有し、情報変換部により変換された画像情報である変換済画像情報をＨＤＭＩモニタに出力するように構成し、ＤＶＤ記憶媒体から取得した画像情報を変換して当該ＤＶＤ再生装置に接続されたＨＤＭＩモニタに出力するように構成されたものである。
【先行技術文献】
【特許文献】
【０００７】
【特許文献１】特開２００８−４８３３７号公報（段落［００２１］，［００３５］，図２）
【特許文献２】特開２００５−１０９７０３号公報（段落［００８８］，［００９１］，図２）
【発明の概要】
【発明が解決しようとする課題】
【０００８】
特許文献１や特許文献２に開示された録画再生装置の技術を用いれば、記録再生装置と異なるメーカーの出力機器が記録再生装置に接続される場合に、種々の設定を簡便に行うことができ、また、録画したコンテンツの再生において、記録再生装置に接続される出力機器の表示特性（表示条件）に応じて録画コンテンツを変換して出力することにより、接続された出力機器の特性にあった良好な画像を表示することができるようになる。
【０００９】
しかしながら、録画コンテンツには、映画、スポーツ、音楽、ドラマ、ニュース、アニメーション、ドキュメンタリーなどの様々のジャンルがあり、ジャンルに応じて、出力機器に出力（表示）する画像を最適なものにすることが好ましい。しかしながら、上記特許文献１や特許文献２の技術を適用しても、出力機器の表示条件にあった画像を出力することはできても、録画コンテンツのジャンルに応じた好適な画像を出力できないという問題点がある。
【００１０】
また、記録再生装置に接続される出力機器には、多くのメーカーが提供する様々な機種の機器があり、特許文献１や特許文献２の技術を適用する場合であっても、記録再生装置に接続される出力機器が変更されたり、複数の出力機器が接続されたりする場合には、当該接続された出力機器毎に出力機器特性（表示条件）を取得しなければならないという問題もある。
【００１１】
本発明は上記の問題点に鑑みてなされたものであり、上記の問題点を解消することを課題とし、録画したコンテンツの再生において、記録再生装置に接続される出力機器の出力機器特性に応じて録画コンテンツを変換して出力する際、録画コンテンツのジャンルに応じて出力を高画質に最適化するようにした記録再生装置を提供することを目的とするものである。また、予め、記録再生装置に接続される種々の出力機器の出力機器特性（表示条件等）を録画再生装置に記憶しておき、接続された出力機器に応じて好適な画像を出力できる記録再生装置を提供することを目的とするものである。
【課題を解決するための手段】
【００１２】
前記課題を解決するために、本願の請求項１にかかる発明は、外部から取得したコンテンツを出力する映像音声出力部と、放送されるコンテンツを受信して出力するチューナと、コンテンツを記録する記憶媒体と、ネットワークを介してコンテンツを取得するネットワーク接続部と、前記チューナまたはネットワーク接続部を介して取得したコンテンツを前記記憶媒体に記録し、又は前記記憶媒体から読み出す録画再生制御部と、前記記憶媒体に記録されたコンテンツのジャンルを判別するジャンル判別部と、前記記憶媒体から読み出したコンテンツの画像を変換して前記映像音声出力部を介して出力機器に出力する出力変換部と、を備え、前記記憶媒体に記録された特定のコンテンツを再生する際、前記ジャンル判別部は当該コンテンツのジャンルを判別し、前記出力変換部は、前記コンテンツのジャンルに応じて、予め設定された補正量に基づいて前記コンテンツの画像を変換して出力することを特徴とする。
【００１３】
また、本願の請求項２にかかる発明は、請求項１にかかる記録再生装置において、前記補正量は、少なくともシネマモードとダイナミックモードとスタンダードモードのそれぞれに応じて設定されており、前記コンテンツのジャンルに応じて前記何れかのモードの補正量が適用されることを特徴とする。
【００１４】
また、本願の請求項３にかかる発明は、請求項１または２にかかる記録再生装置において、前記出力機器はＨＤＭＩケーブルにより前記記録再生装置に接続され、前記記録再生装置はＨＤＭＩケーブルを介して前記出力機器の出力特性情報を取得してメモリ部に記憶し、前記出力変換部は、記憶媒体に記録された特定のコンテンツを再生し、前記出力機器に当該コンテンツを出力する際、前記出力変換部は、前記メモリ部から前記出力機器の出力機器特性情報を取得し、前記記憶媒体から読み出したコンテンツの画像を該出力機器特性に応じて変換して出力することを特徴とする。
【００１５】
また、本願の請求項４にかかる発明は、請求項２にかかる記録再生装置において、前記コンテンツのジャンルと前記シネマモードとダイナミックモードとスタンダードモードの対応はユーザが任意に設定可能にしたことを特徴とする。
【発明の効果】
【００１６】
請求項１にかかる発明においては、チューナまたはネットワーク接続部を介して取得したコンテンツを前記記憶媒体に記録し、又は前記記憶媒体から読み出す録画再生制御部と、前記記憶媒体に記録されたコンテンツのジャンルを判別するジャンル判別部と、前記記憶媒体から読み出したコンテンツの画像を変換して前記映像音声出力部を介して出力機器に出力する出力変換部と、を備え、前記記憶媒体に記録された特定のコンテンツを再生する際、前記ジャンル判別部は当該コンテンツのジャンルを判別し、前記出力変換部は、前記コンテンツのジャンルに応じて、予め設定された補正量に基づいて前記コンテンツの画像を変換して出力する。従って、再生する録画コンテンツのジャンルに応じた好適な高画質の画像を出力機器に出力することができるようになる。
【００１７】
請求項２にかかる発明においては、請求項１にかかる記録再生装置において、前記補正量は、少なくともシネマモードとダイナミックモードとスタンダードモードのそれぞれに応じて設定されており、前記コンテンツのジャンルに応じて前記何れかのモードの補正量が適用される。従って、再生する録画コンテンツのジャンルに応じた好適な高画質の画像を出力機器に出力することができるようになる。
【００１８】
請求項３にかかる発明においては、請求項１または２にかかる記録再生装置において、前記出力機器はＨＤＭＩケーブルにより前記記録再生装置に接続され、前記記録再生装置はＨＤＭＩケーブルを介して前記出力機器の出力特性情報を取得してメモリ部に記憶し、前記出力変換部は、記憶媒体に記録された特定のコンテンツを再生し、前記出力機器に当該コンテンツを出力する際、前記出力変換部は、前記メモリ部から前記出力機器の出力機器特性情報を取得し、前記記憶媒体から読み出したコンテンツの画像を該出力機器特性に応じて変換して出力する。従って、接続された出力機器の出力特性に応じた好適な画像を出力できるようになる。
【００１９】
請求項４にかかる発明においては、請求項２にかかる記録再生装置において、前記コンテンツのジャンルと前記シネマモードとダイナミックモードとスタンダードモードの対応はユーザが任意に設定可能にした。従って、ユーザは自身の嗜好に基づいてコンテンツのジャンルに応じた補正量を設定でき、好みの映像を出力機器に出力できるようになる。
【図面の簡単な説明】
【００２０】
【図１】本発明の実施例に係るカートリッジ装着装置を備えた記録再生装置であって、カートリッジの装着前の状態を示す斜視図である。
【図２】図１における記録再生装置の背面図である。
【図３】図１における記録再生装置であって、カートリッジの装着状態を示す斜視図である。
【図４】ｉＶＤＲ規格に準拠して規格化されたカートリッジタイプのハードディスクの外観を示す斜視図である。
【図５】本発明の実施例に係る記録再生装置の構成を示すブロック図である。
【図６】本発明にかかる記録再生装置における録画再生制御部の構成を示すブロック図である。
【図７】本発明にかかる記録再生装置における色空間調整の概念を示す模式図である。
【図８】本発明にかかる記録再生装置におけるコントラスト調整の方法を説明するための図である。
【発明を実施するための形態】
【００２１】
以下、本発明の具体例を実施例及び図面を用いて詳細に説明する。但し、以下に示す実施例は、本発明の技術思想を具体化するための記録再生装置を例示するものであって、本発明をこの記録再生装置に特定することを意図するものではなく、特許請求の範囲に含まれるその他の実施形態の記録再生装置にも等しく適用し得るものである。
【実施例】
【００２２】
図１は本発明の実施例に係るカートリッジ装着装置を備えた記録再生装置であって、カートリッジの装着前の状態を示す斜視図、図２は図１における記録再生装置の背面図、図３は図１における記録再生装置であって、カートリッジの装着状態を示す斜視図である。図４はｉＶＤＲ規格に準拠した、ハードディスクを記憶媒体とするカートリッジの概観を示す図である。なお、以下に説明する実施例における記録再生装置はｉＶＤＲ規格に準拠したカートリッジ装着装置を備えたものを例に説明するが、本発明はこれに限られるものではなく、ＤＶＤレコーダまたはＨＤＤレコーダ等のアナログあるいはデジタル方式による記録再生装置であってもよい。
【００２３】
本発明の実施例に係る記録再生装置２０は、図１で示すように、カートリッジ１００を記録再生装置２０に内蔵されたカートリッジ装着部に挿入するためのスロット２０１が前面に設けられている。カートリッジ１００は、図４に示すものであり、図４に示すカートリッジと同一部分には同一の参照符号を付してある。図４はｉＶＤＲ規格に基づいたカートリッジの外観を示す斜視図である。このカートリッジ１００は、例えば、図４に示すように、幅Ｗが８０ｍｍ、長さＬが１１０ｍｍ、厚みＳが１２，７ｍｍの矩形で単純な形状のハウジング１０１からなり、ハードディスクドライブを内蔵したものである。
【００２４】
記録再生装置２０には、スロット２０１に隣接して電源ボタン２０２、リモートコントロール用の赤外線センサー２０３、ｉＶＤＲ動作表示ランプ２０４、録画予約表示ランプ２０５、通電表示ランプ２０６が設けられている。スロット２０１は、図３で示すように、装着状態のカートリッジ１００を取出す際につまむことができるように切り欠かれており、カートリッジ１００部分が露出している。
【００２５】
本発明に適用されるｉＶＤＲ規格に基づいたカートリッジ１００は、図４に示すように、所定規格のハウジング１０１からなり、ハウジング１０１の両側面にはガイドレール１０３が形成され、図１で示すようにカートリッジ１００がカートリッジ装着装置の挿入口２０１に挿入するようになっている。ガイドレール１０３にはロック用の凹部１０４が形成され、図３で示すカートリッジ１００の装着状態でカートリッジ装着部（図示せず）のロック機構の突起（図示せず）が係合するようになっている。
【００２６】
記録再生装置２０の側面にはＢ−ＣＡＳ（登録商標）カードを挿入するためのスロットを覆うスロットカバー２０７が設けられている。また、図２で示すように、記録再生装置２０の背面には、ＡＣ電源入力端子２０８、アンテナ入力端子２０９、アンテナ出力端子２１０、映像出力端子２１１、音声出力端子２１２、デジタル映像・音声を入出力するためのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子２１３、排熱口２１４等が設けられている。
【００２７】
記録再生装置２０は、受信された映像信号等をカートリッジ１００内のハードディスクに記録し、またハードディスクに記録した記録情報を再生するレコーダである。このため、記録再生装置２０は、アンテナ入力端子２０９やＨＤＭＩ端子２１３等から入力された映像信号、音声信号を受信するための信号受信回路、カートリッジ１００が電子機器２０に装着されると受信された映像信号等をハードディスクに記録したり、ハードディスクに記録された映像信号を再生したりするための信号処理回路等を備えている。
【００２８】
図５は、カートリッジ１００を装着可能とした本発明の実施例にかかる記録再生装置２０の構成を示すブロック図である。記録再生装置２０は、チューナ２１、ｉＶＤＲ規格に基づくカートリッジ１００（以下、ハードディスクともいう）が装着されるｉＶＤＲ装着部２２、ネットワーク接続部２３、視聴制御部２４、録画再生制御部２５、ＷＥＢブラウザ２６、映像音声出力部２７を備えて構成され、映像音声出力部２７にはＨＤＭＩケーブルを介してテレビ受像機などの出力機器（表示装置）３０が接続される。これらの構成要素は一般的なｉＶＤＲ規格に対応した記録再生装置が備えているものである。
【００２９】
また、本実施例にかかる記録再生装置２０は、ネットワーク接続部２３に接続されたＤＬＮＡ／ＤＴＣＰ−ＩＰサーバ部２８を有している。ＤＬＮＡ／ＤＴＣＰ−ＩＰサーバ部２８はＤＬＮＡ／ＤＴＣＰ−ＩＰ規格に対応するサーバ機能を有するものであり、ＤＬＮＡ／ＤＴＣＰ−ＩＰ規格に対応したクライアント装置からネットワーク接続部２３を介してＤＬＮＡ／ＤＴＣＰ−ＩＰ規格に従って記録されたコンテンツを復号化するとともにコンテンツに付加されているアクセス制限情報をｉＶＤＲ規格におけるアクセス制限情報に変換して、録画再生制御部２５に出力し、チューナを介して受信したコンテンツと同様にして録画再生制御部２５によりハードディスクに記録することができる。
【００３０】
チューナ２１は、ユーザによって選択されたチャンネルの放送波を受信し、視聴制御部２４を介して映像音声出力部２７に送り、映像音声出力部２７から出力された出力信号はテレビジョン受像機（ＴＶ）等の機器に送信される。また、電子機器２０は、ネットワーク接続機能を有しており、ネットワーク接続部２３を介してインターネットや家庭内ネットワークに接続し、ＷＥＢブラウザ２６を用いてネットワーク上の所望のコンテンツを特定し、映像音声出力部２８を用いて出力することができる。これらの各部の機能は、ネットワーク接続機能を備えた一般的な録画装置の機能と同様である。
【００３１】
チューナ２１を介して受信された放送波は録画再生制御部２５を介してｉＶＤＲ装着部２２に装着されたカートリッジ１００に記録（録画保存）される。従って、録画再生制御部２５の機能、作用は、通常の放送受信装置と異なり、ｉＶＤＲ規格に準拠した録画生成処理の制御を行う。すなわち、録画再生制御部２５はｉＶＤＲ規格によって定められた暗号方式に基づいてコンテンツを暗号化してカートリッジ１００に記録する。また、カートリッジ１００に記録されたコンテンツを読み出して再生処理する際には、該暗号化方式に基づいてコンテンツを復号化し、映像音声出力部２７から出力する。また、録画再生制御部２５は、コンテンツにｉＶＤＲ規格に基づく著作権保護のためのアクセス制限情報が付与されている場合には、当該アクセス制限情報に基づいた録画再生処理を行う。
【００３２】
本発明にかかる記録再生装置２０は、上記の構成に加え、映像音声出力部２７に接続されたメモリ部２９を有する。このメモリ部２９には、ＨＤＭＩケーブルを介して出力機器３０の表示特性などの出力機器特性に関する情報を取得し、出力機器の機種名（型式）と対応付けて記憶する。なお、メモリ部２９には、記録再生装置２０の出荷時点で存在する種々の出力機器の各々について、予めメーカーにおいてそれら出力機器の機種名（型式）と出力機器特性情報を対応付けて記憶しておいてもよい。その後、新たに市場に提供される出力機器についてはネットワーク接続部２３を介してその出力機器特性情報を当該出力機器のメーカーのサーバ等から取得してメモリ部２９に追加するようにしてもよい。出力特性情報（表示特性）とは、例えば、階調、色相、彩度、ＲＧＢ原色輝度、コントラスト、γ補正値などの情報である。
【００３３】
また、本実施例にかかる記録再生装置２０において、録画再生制御部２５は、図６に示すように、出力機器特性取得部２５ａ、ジャンル判別部２５ｂ、出力変換部２５ｃを備えて構成される。出力機器特性取得部２５ａは、メモリ部２９を参照して、映像音声出力部２７に接続されている出力機器３０に対応した出力特性情報を取得する。出力変換部２５ｃは、ユーザが選択した録画コンテンツをｉＶＤＲ装着部２２に装着された記憶媒体（カートリッジ）から読み出して映像音声出力部２７に出力する際、読み出されたコンテンツの画像を出力機器特性取得部２５ａによって取得された出力特性情報に従って変換して出力する。
【００３４】
ところで、録画コンテンツには、映画、スポーツ、音楽、ドラマ、ニュース、アニメーション、ドキュメンタリーなどの様々のジャンルがあり、ジャンルに応じて、出力機器に出力（表示）する画像を最適なものにすることが好ましい。ジャンル判別部２５ｂは、再生する録画コンテンツのジャンルを判別する。ジャンル判別の方法は、録画コンテンツの映像の輝度、彩度、コントラストのヒストグラムを解析することによって行うことができる。この解析はコンテンツの録画時に行い、録画コンテンツのタイトルなどとともにジャンルを記憶しておき、再生時にジャンル判別部２５ｂは、記憶されたジャンルを識別して録画コンテンツのジャンルを判別する。
【００３５】
そして、出力変換部２５ｃが出力特性情報に従ってコンテンツの画像を変換して出力する際、再生するコンテンツのジャンルに応じた最適化を行う。例えば、映像モードを、（ａ）ダイナミックモード、（ｂ）スタンダードモード、（ｃ）シネマモードの３モードを設けておき、再生するコンテンツのジャンルに応じて、これら３モードの何れかを用いて映像を変換して出力する。そして、例えば、再生するコンテンツのジャンルが映画の場合にはシネマモードで映像を変換し、スポーツの場合にはダイナミックモードで変換、アニメやドラマその他の場合はスタンダートモードで変換するように、コンテンツのジャンルと映像モードを対応付けて置く。映像モードとジャンルの対応関係はユーザが自分の嗜好に応じて設定できるようにしておくとよい。
【００３６】
以下、映像の変換方法について説明する。図７は、横軸Ｘ、縦軸Yの直交座標を用いて色度を表した図であり、本実施例における色空間調整の概念を示す図である。出力変換部２５ｃは記憶媒体から読み出した映像（入力映像）を変換して出力機器３０に出力する際、図７においてＲ、Ｇ、Ｂ、Ｃｙ、Ｍｇ、Ｙｅ、Ｗの７点、その間の補色（ＲＹｅ、ＹｅＧ、ＧＣｙ、ＣｙＢ、ＢＭｇ、ＭｇＲ）６点の計１３点に関して、色度座標や信号量の補正を行い上記（ａ）〜（ｃ）各映像モードを実現する。（ａ）のダイナミックモードでは、図７の７ａに示す補正を行い、輪郭をくっきりさせ、めりはりの効いた映像に変換する。（ｂ）のスタンダードモードでは、図７の７ｂに示す補正を行い、記憶媒体から読み出された入力映像を忠実に再現するよう映像を変換し、（ｃ）のシネマモードでは、図７の７ｃに示す補正を行い、階調感を重視し、色調をしっかりと表現し、しっとりと落ち着いた映像になるように変換するように、予めジャンルに応じた補正量を設定しておく。
【００３７】
また、出力変換部２５ｃは記憶媒体から読み出した映像（入力映像）を変換して出力機器３０に出力する際にコントラスト調整を行う。コントラスト調整においては、出力変換部に入力される映像のヒストグラム分析（映像ごとの輝度平均、偏差を解析する輝度分布解析）を行い最適な入出力特性を算出して適用し、映像ごとの輝度平均、偏差に応じてγテーブルを補正、コントラスト強調効果を得る。図８はこのようなコントラストの調整の方法を示しており、入力映像８ａ、入出力特性８ｂ、出力映像８ｃの関係を示している。
【００３８】
入力映像８ａ、出力映像８ｃの各グラフは縦軸に頻度、横軸に輝度をとって映像の分布を示したものであり、入出力特性８ｂの各グラフは出力映像を縦軸に、入力映像を横軸にとって両画像の関係を示したものである。図８において参照符号８ａで示される各グラフは入力映像の輝度分布を示し、参照符号８ｂで示される各グラフは輝度分布解析によって算出された最適な入出力特性を示している。この入出力特性８ｂに基づいて調整した出力映像の各グラフが参照符号８ｃに示されている。このような調整を行うことで、映像ごとの輝度平均、偏差に応じてγテーブルを補正すればコントラスト強調効果を得ることができる。
【００３９】
以上、説明したように、本発明にかかる記録再生装置によれば、録画したコンテンツの再生において、記録再生装置に接続される出力機器の表示特性に応じて録画コンテンツを変換して出力する際、録画コンテンツのジャンルを判別し、ジャンルに応じて予め設定された補正を加えて入力画像（記憶媒体から読み出された画像）を変換するものであるから、再生する録画コンテンツのジャンルに応じた好適な高画質の画像を出力機器に出力することができるようになる。
【００４０】
また、ｉＶＤＲ規格に準拠したカートリッジおよび当該カートリッジを採用した記録再生装置などの機器には高い互換性がある。特に、デジタル放送の録画、再生においては、機器互換を特長とするコンテンツ保護技術（ＳＡＦＩＡ：Ｓｅｃｕｒｉｔｙ  Ａｒｃｈｉｔｅｃｔｕｒｅ  Ｆｏｒ  Ｉｎｔｅｌｌｉｇｅｎｔ  Ａｔｔａｃｈｍｅｎｔ  ｄｅｖｉｃｅ）に対応しており、デジタルＴＶ機器の互換性に関して利便性が高いものになっている。
【００４１】
この機器によれば、カートリッジに記録したコンテンツは、ｉＶＤＲに準拠した放送受信装置であれば、例え、他のメーカーの放送受信装置に買い換えた場合でもカートリッジに記録したコンテンツを再生することができる。
【００４２】
なお、以上説明した実施例は、ｉＶＤＲ規格に準拠したカートリッジを装着する記録再生装置を例に説明したが、本発明はこれに限られるものではなく、一般的な記録再生装置であっても、ネットワーク接続機能を有する機器であれば適用することが可能である。また、記憶媒体もＨＤＤカートリッジに限られるものではなく、ＳＤカード、ＵＳＢメモリなどの記憶媒体を用いることができる。
【００４３】
また、以上の説明において、記録再生装置２０は、ＤＬＮＡ／ＤＴＣＰ−ＩＰサーバ機能を備えたものを例にして説明したが、本発明はこれに限られるものではない。ＤＬＮＡ／ＤＴＣＰ−ＩＰの規格でない他のコンテンツ保護の規格、あるいは、メーカーが独自に採用するローカルの暗号化方式、アクセス制限方式に対応する変換処理部２７を備える構成とすることもできる。また、複数の規格、ローカル規格に対応できるように構成することもできる。
【符号の説明】
【００４４】
１００    カートリッジ
１０１    ハウジング
１０２    カートリッジ側コネクタ
１０３    ガイドレール
１０４    凹部
２０      記録再生装置
２１      チューナ
２２      ｉＶＤＲ装着部
２３      ネットワーク接続部
２４      視聴制御部
２５      録画再生制御部
２５ａ    出力機器特性取得部
２５ｂ    ジャンル判別部
２５ｃ    出力変換部
２６      ＷＥＢブラウザ
２７      映像音声出力部
２８      ＤＬＮＡ／ＤＴＣＰ−ＩＰサーバ部
２９      メモリ部
３０      表示装置（出力機器）
【図１】
2012070289.tif 000003
【図２】
2012070289.tif 000004
【図３】
2012070289.tif 000005
【図４】
2012070289.tif 000006
【図５】
2012070289.tif 000007
【図６】
2012070289.tif 000008
【図７】
2012070289.tif 000009
【図８】
2012070289.tif 000010